(57)【要約】【課題】簡単な構成で、運搬、使用が行いやすく、通常マットとしても使用でき、防犯マットとしても使用できるマットが無かった。【解決手段】下層シート２と中層シート１と上層シート３の三層を含む多層からなる防犯マットであり、中層シート１は、上面１０が強粘性の粘着剤が塗布された面として形成され、下面１１が弱粘性の粘着剤が塗布された面として形成される薄い粘着シートからなり、上層シート３の上面は通常マット４を載置可能な形態を有し下面３０は中層シート１の上面と剥離可能な平滑面を有し、通常のマットとして使用する場合は、上層シート３の上に四層目となる通常マット４を載置して使用し、防犯マットとして使用する場合は、中層シート１の上面１０と、上層シート３の下面３０との接着を剥がして上層シート３を除き、中層シート１の強粘着面１０ａを露出して使用する通常マット兼用防犯マットによる。【選択図】図１
2010152639.tif 000002
【特許請求の範囲】
【請求項１】
下層シートと中層シートと上層シートの三層を含む多層からなる防犯マットであり、
中層シートは、上面が強粘性の粘着剤が塗布された強粘着面として形成され、下面が弱粘性の粘着剤が塗布された弱粘着面として形成された柔軟性を有する薄い粘着シートからなり、
上層シートは、その上に最上層として通常マットを載置可能なシート形態を有し、かつ下面は中層シートの上面と剥離可能な平滑面を有しており、
通常マットとして使用する場合は、上層シートの上に最上層として通常マットを載置して使用し、
防犯マットとして使用する場合は、中層シートの上面と、上層シートの下面との接着を剥がして上層シートを除き、中層シートの上面である強粘着面を露出して使用することを特徴とする通常マット兼用防犯マット。
【請求項２】
下層シートと中層シートと上層シートの三層を含む多層からなる防犯マットであり、
中層シートは、上面が強粘性の粘着剤が塗布された強粘着面として形成され、下面が弱粘性の粘着剤が塗布された弱粘着面として形成された柔軟性を有する薄い粘着シートからなり、
上層シートは、その上面が通常使用のマット形態を有し、かつ下面は中層シートの上面と剥離可能な平滑面を有しており、
通常マットとして使用する場合は、上層シートを最上層とした三層からなる通常マットとして使用し、
防犯マットとして使用する場合は、中層シートの上面と、上層シートの下面との接着を剥がして上層シートを除き、中層シートの上面である強粘着面を露出して使用することを特徴とする通常マット兼用防犯マット。
【請求項３】
上層シートが、シリコンゴム素材から形成され、下面を平滑面とした請求項１又は請求項２に記載の通常マット兼用防犯マット。
【発明の詳細な説明】
【技術分野】
【０００１】
この発明は、店舗・事業所等の出入口、一般家屋の玄関の内側、ショーケース付近、お店のレジスターの下や近傍などの場所に敷いて使用するマットであり、通常のマットとして使用できるとともに防犯用のマットとしても使用できる通常マット兼用防犯マットに関する。
【背景技術】
【０００２】
防犯用マットには、従来特許第３７８４９５２号（従来技術１）に「［請求項１] マット本体の上面に粘着剤層を有し、粉末または液状の防犯着色剤を内蔵させたカプセルまたは易破壊性の袋を粘着剤層に点在させたことを特徴とする防犯用マット」、及び［請求項２］マット本体の上面に侵入者により踏まれ、該侵入者の足が捕らえられる粘着剤層を有し、踏まれたことを検知する検知手段を備えたことを特徴とする防犯用マット、及び［請求項３］マット本体の上面に加熱により粘着性を発現する粘着剤層を有し、粘着剤層を加熱する加熱調節手段を備えたことを特徴とする防犯用マット、及び［請求項４］マット本体の上面に冷却により非粘着性となる粘着剤層を有し、粘着剤層を冷却する冷却調節手段を備えたことを特徴とする防犯用マット。」の開示がある。
【０００３】
更に防犯用マットとして、従来特許第３７７８１４８号（従来技術２）に「静電容量重量センサ」の開示がある。従来技術１には、静電容量．重量センサに関し、特に、小動物、人体、車両を識別して検出する防犯警報等に使用するのに適した静電容量センサで重量による静電容量の変化を検出するセンサで、「誘電体シートにステンレスの板を張り合わせた板の両面にスペーサを設けて２枚のＡＰＡアルミ樹脂複合パネルで挟みコンデンサ電極を構成し、このコンデンサ電極の周囲を絶縁体で覆い、さらにその周囲をシールド電極で覆う構造をＡＰＡアルミ樹脂複合パネル一体板で行い、最外周を伸縮可能な絶縁材料で覆ったことを特徴とする静電容量重量センサ」が開示されている。
【０００４】
また特開２００４−１１８８７０号公報（従来技術３）には、「袋体内に蛍光光塗料あるいは塗料（以下塗料等という）を胎蔵し、センサからの指令で起動するガス発生装置を取り付けたエアーバッグを内蔵し、センサが指令すれば、ガス発生装置の作動によりガスが発生してエアーバッグが急激に膨張し、その圧力で袋体が破裂して内部の塗料等が噴出する機能を有するものであって、噴出箇所を誘導できるようにするため袋体内面に複数の切れ目を入れた防犯カラーマット」の記載がある。
【特許文献１】特許第３７８４９５２号（従来技術１）
【特許文献２】特許第３７７８１４８号（従来技術２）
【特許文献３】特開２００４−１１８８７０号公報（従来技術３）
【発明の開示】
【発明が解決しようとする課題】
【０００５】
従来技術１は、「マット本体の上面に粘着剤層を有」することに加えて、請求項１では「粉末または液状の防犯着色剤を内蔵させたカプセルまたは易破壊性の袋を粘着剤層に点在させ」ており、請求項２では「踏まれたことを検知する検知手段を備え」ており、請求項３では「粘着剤層を加熱する加熱調節手段を備え」ており、請求項４では「粘着剤層を冷却する冷却調節手段を備え」ている。したがって、「マット本体の粘着シート」に複雑な装置や部材を、更に付加する必要があり、通常のマットとしての使用には不向きであった。
【０００６】
また、従来技術２では複雑で高価な静電容量重量センサを使用した防犯マットであり、従来技術３では、蛍光塗料やセンサー、ガス発生装置などの複雑な装置が付加される装置であり、簡単に使用しにくい装置であった。
【０００７】
したがって、これらの防犯用マットは、一般の店舗や家屋用に使用しようとするとランニングコストなども掛かり高価である。また、複雑な構成のため故障がしやすいなどの課題があった。
【０００８】
この発明は、昼間などの通常時には通常のマットとして使用できるとともに、夜間等の防犯時に防犯マットとして使用できるマットであり、非常に簡単な構成で、運搬、保管、使用が行いやすいと同時に防犯効果が高い通常マット兼用の防犯マットを得ることを目的とする。
【課題を解決するための手段】
【０００９】
上記課題を解決するために、
下層シートと中層シートと上層シートの三層を含む多層からなる防犯マットであり、
中層シートは、上面が強粘性の粘着剤が塗布された強粘着面として形成され、下面が弱粘性の粘着剤が塗布された弱粘着面として形成された柔軟性を有する薄い粘着シートからなり、
上層シートは、その上に最上層として通常マットを載置可能なシート形態を有し、かつ下面は中層シートの上面と剥離可能な平滑面を有しており、
通常マットとして使用する場合は、上層シートの上に最上層として通常マットを載置して使用し、
防犯マットとして使用する場合は、中層シートの上面と、上層シートの下面との接着を剥がして上層シートを除き、中層シートの上面である強粘着面を露出して使用することを特徴とする通常マット兼用防犯マットを提案する。
【００１０】
また、下層シートと中層シートと上層シートの三層を含む多層からなる防犯マットであり、
中層シートは、上面が強粘性の粘着剤が塗布された強粘着面として形成され、下面が弱粘性の粘着剤が塗布された弱粘着面として形成された柔軟性を有する薄い粘着シートからなり、
上層シートは、その上面が通常使用のマット形態を有し、かつ下面は中層シートの上面と剥離可能な平滑面を有しており、
通常マットとして使用する場合は、上層シートを最上層とした三層からなる通常マットとして使用し、
防犯マットとして使用する場合は、中層シートの上面と、上層シートの下面との接着を剥がして上層シートを除き、中層シートの上面である強粘着面を露出して使用することを特徴とする通常マット兼用防犯マットを提案する。。
【００１１】
更に、上層シートが、シリコンゴム素材から形成され、下面を平滑面とした０００９欄又は００１０欄に記載の通常マット兼用防犯マットを提案する。
【発明の効果】
【００１２】
この発明によれば、人の出入りがある昼間においては、上面に強粘性の粘着剤を塗布し、下面に弱粘性の粘着剤を塗布した粘着シートである中層シートの上に下面を平滑面とした上層シートを置き、さらにその上に最上層となる通常マットを載置して四層とするか、又は、粘着シートである中層シートの上に下面を平滑面とし上面を通常マット形態とした上層シートを載置した三層形態とし、一般の店舗・事業所等の出入口、一般家屋の玄関の内側、ショーケース付近、お店のレジスターの下や近傍などの場所に敷いて一般の通常マットとして使用することができる。
【００１３】
また、夜間などに店の閉店後や、家の家族が全て家内に入った場合、上層シート又は最上層の通常マットと上層シートを剥がして中層シートの上面の強粘性の粘着剤を露出して暗闇の入口等に置いておく。侵入者等が暗闇で粘着シートの強粘着剤面を踏むと、粘着シートがその侵入者、窃盗犯などの靴に付着してなかなか離れず、犯人が慌てることにより騒音が発生し防犯効果となる。
【００１４】
更に、上層シートが、シリコンゴム素材から形成され、下面を平滑面とした構造であると、中層シートの上面である強粘着剤面とも容易に剥離することができ、通常マットから防犯マットへ変更が容易である。
【発明を実施するための最良の形態】
【００１５】
この発明である通常マット兼用防犯マットの四層形態の実施形態であり、上層シートと中層シートを途中まで剥離した状態の拡大部分側面説明図である図１、同じくこの発明の実施形態である防犯マットの平面図を示す図２、この発明の実施形態である防犯マット販売時に上層シートと中層シートの間に剥離紙を挟んだ状態の拡大部分側面説明図である図３、この発明の実施形態である防犯マットの上層シートを剥離して防犯マットとして使用し侵入者が中層シートである粘着シートを踏んだ状態を示す拡大部分側面説明図である図４、この発明である通常マット兼用防犯マットの三層形態の実施形態であり、上層シートと中層シートを途中まで剥離した状態の拡大部分側面説明図である図５に基づいて説明する。
【００１６】
この発明の１つの実施形態として図１乃至図４に示す通常マット兼用防犯マットＭは、下層シート２と、中層シート１と、上層シート３と、最上層の通常マット４の四層からなる。また、図５には通常マット兼用防犯マットの三層の実施形態を示す。
【００１７】
通常マット兼用防犯マットＭの中層シート１は、防犯マット用の粘着シートであり、上面１０全面に強粘性の粘着剤１０ａを塗布して成り、下面１１全面に弱粘性の粘着剤１１ａを塗布して成るシートであり、柔軟性、透明性を有しペット樹脂等の合成樹脂素材からなる薄いシートである。
【００１８】
粘着シートである中層シート１は、合成樹脂素材の柔軟性を有する薄いシートからなり、上面１０の全面に強粘性の粘着剤１０ａを塗布し、下面１１の全面に弱粘性の粘着剤１１ａを塗布してなる。中層シート１は、ペット樹脂、紙等の素材からなり、透明性で厚さ０．１ｍｍ程度で、平面視は適宜であるが実施例としては縦おおよそ６９０ｍｍ、横おおよそ４１０ｍｍ程度の長方形のシートである。中層シート１の上面１０に塗布される強粘着剤１０ａは、ポリブテンからなる。中層シート１の下面１１に塗布される弱粘着剤１１ａは、アクリル系樹脂からなる。
【００１９】
この通常マット兼用防犯マットＭの下層シート２は、少なくとも上面２０が平滑面で黒色等の暗い色であり、この実施形態ではゴムマットからなるが、ゴム以外の素材、例えば合成樹脂等の樹脂素材で形成されたシート又はマットでも上面２０が平滑面であるマットであればよい。
【００２０】
また、通常マット兼用防犯マットＭの上層シート３は、シリコンゴム素材から形成され、その上面３１は平面状又は通常使用のマット形状であり粘着剤の塗布などはなく、その上に通常マット４が載置可能な形状であればよい。上層シート３の下面３０は、中層シート１の強粘性の粘着剤１０ａを塗布されてなる上面１０と剥離可能な平滑面を有している。上層シート３は、シリコンゴム以外の素材、例えば合成樹脂等の樹脂素材で形成されたシート又はマットでも下面３０が平滑面であるシートであればよい。この平滑性は、中層シート１である粘着シート１の上面１０に設けられている強粘性の粘着剤１０ａとの接着、剥離を行いやすい程度の平滑性があればよい。
【００２１】
最上層となる通常のマット４は、その上面は通常使用のマット形態、すなわち玄関シートとして靴底の泥落としを行うことのできる表面、あるいは、屋内用シートとして毛糸からなる表面でもよく、下面は単なる平面で粘着剤等の塗布はしていない。
【００２２】
この通常マット兼用防犯マットＭを通常マットとして使用する場合には、下層シート２と、中層シート１と、上層シート３、最上層の通常マット４の順に四層に積層させることにより、最上層の通常マットとして使用することができる。
【００２３】
また、この通常マット兼用防犯マットＭを防犯用マットとして使用する場合には、最上層の通常マット４を取り去り、更に上層シート３の下面３０と中層シート１の上面１０に塗布されている強粘性の粘着剤の接着を剥がして上層シート３を除き、中層シート１の上面１０を露出して使用する。
【００２４】
図５には、三層からなる実施形態の通常マット兼用防犯マットＭａを示しており、粘着シートである中層シート１及び下層シート２は、四層の実施形態と同じであるが、上層シート３ａは、シリコンゴム素材から形成され、その上面３１ａが通常使用のマット形態、すなわち玄関シートとして靴底の泥落としを行うことのできる表面、あるいは、屋内用シートとして毛糸からなる等の表面からなる。上層シート３の下面３０は、四層の実施形態と同じで中層シート１の強粘性の粘着剤１０ａを塗布されてなる上面１０と剥離可能な平滑面を有している。上層シート３の素材、形状は、上記した四層の実施形態と同じである。更にこの発明の下層シート１の下面、あるいは上層シート３と最上層となる通常マット４との間に他のシート等を配置して五層以上の多層のマットとして使用することも出来る。
【００２５】
次に、この発明の実施形態である通常マット兼用防犯マットＭの使用方法について説明する。この発明の中層シート１である粘着シートのみで運搬、保管、販売等を行う場合は、上面１０、下面１１に剥離紙５を付けておき、防犯マットＭの一部として使用するときに剥がす。
【００２６】
この発明の実施形態である通常マット兼用防犯マットＭ又はＭａは、昼の間等の使用者側の人の活動がある場合は、一般の店舗・事業所等の出入口、一般家屋の玄関の内側、ショーケース付近、お店のレジスターの下や近傍などの場所に敷いて一般の通常マットとして使用する。すなわち、下層シート２と、中層シート１と、上層シート３と、通常マット４の順に積層させた四層からなる通常マット、又は下層シート２と、中層シート１と、上層シート３の順に積層させた三層からなる通常マットとして使用する。
【００２７】
このとき下層シート２と中層シート１の間には弱粘着性の粘着剤１１ａが介在するので剥がれることは無く、中層シート１と上層シート３の間には強粘着性の粘着剤１０ａが介在するので剥がれることは無い。
【００２８】
また、窃盗犯等が侵入しような場所、すなわち一般の店舗・事業所、コンビニ等の店が閉店した後の出入口ドアの前、一般の家屋において全ての家人が旅行に出るときなどの深夜等に玄関の中等に敷いておき、防犯マットとして使用する。通常マット兼用防犯マットＭは、最上層の通常マット４を取り去り、次に上層シート３又は上層シート３ｂを中層シート１の上面１０から剥がし、中層シート１の強粘着剤１０ａが全面に塗布されている上面１０を露出させる。中層シート１と上層シート３の間には強粘着性の粘着剤１０ａが介在しているが、上層シート３の下面が平滑性を有しているため使用者は容易に剥がすことが出来る。上層シート３が剥がされると中層シート１の強粘着性の粘着剤１０ａが全面に塗布されている上面１０が露出するが、中層シート１は透明であるため下層シート２の上面２０が透けて見え、下層シート２の上面２０は黒色等の暗色なため夜間は気がつきにくい。又、通常マット兼用防犯マットＭａは、最上層である上面３１ａが通常使用のマット形態である上層シート３ａを同様に中層シート１から取り去る。
【００２９】
この状態にしておくと窃盗犯などの侵入者が、玄関や入口から中に入ろうとすると、防犯シートの中層シート１の上面１０を踏む可能性が高い。そして侵入者が防犯シートの中層シート１の上面１０を踏むと強粘着剤１０ａによって侵入者の靴Ｓの底に強く接着される。中層シート１は、その下面１１の弱粘着性粘着剤１１ａによって下層シート２と接着しているが、この粘着力は強粘着性の粘着剤１０ａと比較して著しく弱いため、中層シート１は図４に示されるように下層シート２から容易に剥がれる。
【００３０】
そして侵入者等の靴Ｓの底に強く付着した中層シート１は、簡単には靴底から離れず、その状態に驚く侵入者が暴れることによって発生する大きな音などによって侵入者が居ることを知らせるとともに、侵入者の驚愕による精神的なダメージのため、それ以上の犯罪意欲を奪うことができ、防犯の効果がある。
【産業上の利用可能性】
【００３１】
この発明は、店舗・事業所等の出入口、一般家屋の玄関の内側、ショーケース付近、お店のレジスターの下や近傍などの場所に敷いて、昼間等の時間は通常のマットとして使用し、人の出入りのない深夜などは防犯マットとして利用する。
【図面の簡単な説明】
【００３２】
【図１】この発明の実施形態である通常マット兼用防犯マットの四層形態の実施形態であり、通常マット、上層シート、中層シート、下層シートをそれぞれ途中まで剥離した状態の拡大部分側面説明図
【図２】同じくこの発明の実施形態である通常マット兼用防犯マットの平面図
【図３】この発明の実施形態である通常マット兼用防犯マットの販売時に中層シートの上面と下面に剥離紙を挟んだ状態の拡大部分側面説明図
【図４】この発明の実施形態である通常マット兼用防犯マットの上層シートを剥離して防犯マットとして使用し侵入者が中層シートである粘着シートを踏んだ状態を示す拡大部分側面説明図
【図５】この発明の実施形態である通常マット兼用防犯マットの三層形態の実施形態であり、上層シート、中層シート、下層シートをそれぞれ途中まで剥離した状態の拡大部分側面説明図
【符号の説明】
【００３３】
Ｍ  通常マット兼用防犯マット（四層の実施形態）
Ｍａ  通常マット兼用防犯マット（三層の実施形態）
１  中層シート（粘着シート）
１０  中層シートの上面
１０ａ  強粘着剤
１1  中層シートの下面
１1ａ  弱粘着剤
２  下層シート
２０  下層シートの上面
３  上層シート（四層の実施形態）
３０  上層シートの下面
３１  上層シートの上面（四層の実施形態）
３ａ  上層シート（三層の実施形態）  
３１ａ  上層シートの上面（三層の実施形態）
４  通常マット
５  剥離紙
【図１】
2010152639.tif 000003
【図２】
2010152639.tif 000004
【図３】
2010152639.tif 000005
【図４】
2010152639.tif 000006
【図５】
2010152639.tif 000007